(57)【要約】【課題】情報漏洩の虞を生じることなく、加工装置を通信回線に容易に接続することができる加工装置、加工装置システム及び情報収集システムを提供すること。【解決手段】情報収集システム１−１は、１以上の加工装置１０とサーバー２０とルータ３０を備える。加工装置１０とルータ３０は、加工装置システム２−１を構成する。加工装置１０は、加工条件及び作動履歴を記憶する記憶手段１４と記憶手段１４に記憶した情報をインターネット回線２１を介してサーバー２０に送受信する無線ＬＡＮ子機１６を備えている。ルータ３０は、無線ＬＡＮ子機１６をインターネット回線２１に無線接続させる。【選択図】図１
2015179339.tif 000002
【特許請求の範囲】
【請求項１】
被加工物を保持するチャックテーブルと、該チャックテーブルに保持された該被加工物を加工するための加工手段と、を少なくとも備える加工装置であって、
該加工手段の加工条件及び作動履歴を記憶する記憶手段と、該記憶手段に記憶した情報を通信回線を介して送受信する無線ＬＡＮ子機と、各構成要素を制御する制御手段と、を備えることを特徴とする加工装置。
【請求項２】
該無線ＬＡＮ子機を該通信回線に無線接続させるモバイルＷｉ−Ｆｉルータを備えることを特徴とする請求項１に記載の加工装置。
【請求項３】
被加工物を保持するチャックテーブルと、該チャックテーブルに保持された該被加工物を加工するための加工手段と、該加工手段の加工条件及び作動履歴を記憶する記憶手段と、該記憶手段に記憶した情報を通信回線を介して送受信する無線ＬＡＮ子機と、各構成要素を制御する制御手段と、を少なくとも有する加工装置を複数備えた加工装置システムであって、
該複数の加工装置のうちの少なくとも一つの加工装置が、該無線ＬＡＮ子機を該通信回線に無線接続させるモバイルＷｉ−Ｆｉルータを備え、
該モバイルＷｉ−Ｆｉルータは、該複数の加工装置の該無線ＬＡＮ子機で共有されることを特徴とする加工装置システム。
【請求項４】
被加工物を保持するチャックテーブルと、該チャックテーブルに保持された該被加工物を加工するための加工手段と、該加工手段の加工条件及び作動履歴を記憶する記憶手段と、該記憶手段に記憶した情報を通信回線を介して送受信する無線ＬＡＮ子機と、各構成要素を制御する制御手段と、を備えた複数の加工装置と、
該加工装置の該無線ＬＡＮ子機と、該通信回線を介して接続され、かつ前記情報を収集するサーバーと、を備えた情報収集システムであって、
該複数の加工装置のうちの少なくとも一つの加工装置が、該無線ＬＡＮ子機を該通信回線に無線接続させるモバイルＷｉ−Ｆｉルータを備え、
該モバイルＷｉ−Ｆｉルータは、該複数の加工装置の該無線ＬＡＮ子機で共有されることを特徴とする情報収集システム。
【発明の詳細な説明】
【技術分野】
【０００１】
本発明は、加工装置、加工装置システム及び情報収集システムに関する。
【背景技術】
【０００２】
ダイサーやグラインダー等の加工装置は、世界各地の工場に設置され日々稼働している。しかし、トラブルの発生等により、加工装置の製造メーカー側が装置の状況を把握する必要がある場合がある。その際、インターネット回線を介して各種加工条件や稼働履歴を製造メーカー側の端末やサーバーに送信するなどの構成が考案されてきた（特許文献１参照）。
【先行技術文献】
【特許文献】
【０００３】
【特許文献１】特開２０１４−０１８９０４号公報
【発明の概要】
【発明が解決しようとする課題】
【０００４】
このようにインターネット回線に加工装置を接続する場合、通常、加工装置１台１台をＬＡＮケーブルで工場側のインターネット回線などの通信回線に接続することを想定している。そのために、ＬＡＮケーブルを配線したり、ＬＡＮ用ハブ（ネットワークハブ）を用意したりする必要がある。また、工場側のインターネット回線は、工場側の社内ＬＡＮを経由する場合があり、情報のセキュリティの要求が高い工場では、ウィルス感染や情報漏洩を防ぐ意味でも、容易に加工装置を工場側の社内ＬＡＮに接続する事ができない事情がある。
【０００５】
本発明は、上記問題にかんがみなされたもので、その目的は、情報漏洩の虞を生じることなく、加工装置を通信回線に容易に接続することができる加工装置、加工装置システム及び情報収集システムを提供することである。
【課題を解決するための手段】
【０００６】
上述した課題を解決し、目的を達成するために、本発明の加工装置は、被加工物を保持するチャックテーブルと、該チャックテーブルに保持された該被加工物を加工するための加工手段と、を少なくとも備える加工装置であって、該加工手段の加工条件及び作動履歴を記憶する記憶手段と、該記憶手段に記憶した情報を通信回線を介して送受信する無線ＬＡＮ子機と、各構成要素を制御する制御手段と、を備えることを特徴とする。
【０００７】
また、前記加工装置は、該無線ＬＡＮ子機を該通信回線に無線接続させるモバイルＷｉ−Ｆｉルータを備えることができる。
【０００８】
本発明の加工装置システムは、被加工物を保持するチャックテーブルと、該チャックテーブルに保持された該被加工物を加工するための加工手段と、該加工手段の加工条件及び作動履歴を記憶する記憶手段と、該記憶手段に記憶した情報を通信回線を介して送受信する無線ＬＡＮ子機と、各構成要素を制御する制御手段と、を少なくとも有する加工装置を複数備えた加工装置システムであって、該複数の加工装置のうちの少なくとも一つの加工装置が、該無線ＬＡＮ子機を該通信回線に無線接続させるモバイルＷｉ−Ｆｉルータを備え、該モバイルＷｉ−Ｆｉルータは、該複数の加工装置の該無線ＬＡＮ子機で共有される
ことを特徴とする。
【０００９】
本発明の情報収集システムは、被加工物を保持するチャックテーブルと、該チャックテーブルに保持された該被加工物を加工するための加工手段と、該加工手段の加工条件及び作動履歴を記憶する記憶手段と、該記憶手段に記憶した情報を通信回線を介して送受信する無線ＬＡＮ子機と、各構成要素を制御する制御手段と、を備えた複数の加工装置と、該加工装置の該無線ＬＡＮ子機と、該通信回線を介して接続され、かつ前記情報を収集するサーバーと、を備えた情報収集システムであって、該複数の加工装置のうちの少なくとも一つの加工装置が、該無線ＬＡＮ子機を該通信回線に無線接続させるモバイルＷｉ−Ｆｉルータを備え、該モバイルＷｉ−Ｆｉルータは、該複数の加工装置の該無線ＬＡＮ子機で共有されることを特徴とする。
【発明の効果】
【００１０】
そこで、本願発明では、加工装置に無線ＬＡＮ子機を設けたり、無線ＬＡＮ子機を通信回線に無線接続させるモバイルＷｉ−Ｆｉルータを設けている。また、加工装置の無線ＬＡＮ子機が加工装置の記憶手段から情報を受信することができる。したがって、ＬＡＮ設備を準備することなく、工場側の社内ＬＡＮを用いることなく、記憶手段に記憶された情報を通信回線に送信することができる。よって、情報漏洩の虞を生じることなく、加工装置を通信回線に容易に接続することができる。
【図面の簡単な説明】
【００１１】
【図１】図１は、実施形態１に係る加工装置、加工装置システム及び情報収集システムのブロック図である。
【図２】図２は、実施形態２に係る加工装置、加工装置システム及び情報収集システムのブロック図である。
【発明を実施するための形態】
【００１２】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１３】
〔実施形態１〕
本発明の実施形態１に係る加工装置、加工装置システム及び情報収集システムを図面に基いて説明する。図１は、実施形態１に係る加工装置、加工装置システム及び情報収集システムのブロック図である。
【００１４】
実施形態１に係る情報収集システム１−１は、図１に示すように、加工装置１０と、サーバー２０などを備えている。加工装置１０は、被加工物に各種の加工を施す工場３などに設置されるものであって、図１に示すように、被加工物を保持するチャックテーブル１１と、チャックテーブル１１に保持された被加工物を加工するための加工手段１２と、加工手段１２の加工条件を設定し表示する表示手段兼入力手段１３と、加工手段１２の加工条件及び作動履歴を記憶する記憶手段１４と、制御手段１５と、無線ＬＡＮ子機１６とを備えている。
【００１５】
被加工物は、本発明では、シリコン、サファイア、ガリウムなどを母材とする円板状の半導体ウエーハや光デバイスウエーハである。また、本発明では、被加工物は、電子部品に使用される各種セラミック基板、樹脂基板、ガラス基板などであってもよい。
【００１６】
加工装置１０として、被加工物を切削する切削装置、被加工物を研削する研削装置、被加工物を研磨する研磨装置などが用いられる。加工手段１２としては、切削手段、研削手段、研磨手段などが用いられる。表示手段兼入力手段１３で設定され表示される加工条件とは、例えば、加工装置１０が切削装置である場合には、切削手段の切削ブレードの切り込み深さ、切削ブレードの回転数、チャックテーブル１１の加工送り速度などである。
【００１７】
記憶手段１４は、加工手段１２の加工条件及び加工装置１０の作動履歴が自動的に記憶される。記憶手段１４が記憶する作動履歴とは、加工装置１０が切削装置である場合には、切削ブレードが被加工物に形成する切削溝のカーフチェックデータ、被加工物の搬送エラーデータ、切削ブレードの交換データなどである。
【００１８】
制御手段１５は、チャックテーブル１１、加工手段１２、表示手段兼入力手段１３、記憶手段１４、無線ＬＡＮ子機１６などと双方向通信バスなどを介して接続し、これら加工装置１０の各構成要素の動作を制御する。
【００１９】
無線ＬＡＮ子機１６は、記憶手段１４に記憶した加工条件及び作動履歴を示す情報をインターネット回線２１（通信回線に相当）を介して送受信するものである。無線ＬＡＮ子機１６は、記憶手段１４と無線接続又は有線接続され、記憶手段１４から加工条件及び作動履歴を示す情報を受信する。無線ＬＡＮ子機１６は、記憶手段１４からの情報を所定時間毎に、又は所望のタイミングで自動的にインターネット回線２１などを介して、加工装置１０の製造メーカやメンテナンス会社などに設置されるサーバー２０に無線送信する。また、無線ＬＡＮ子機１６は、サーバー２０に接続された端末装置２２からの入力情報を、インターネット回線２１などを介して無線受信し、受信した入力情報を制御手段１５などに出力する。サーバー２０は、加工装置１０の無線ＬＡＮ子機１６と、インターネット回線２１を介して接続され、記憶手段１４に記憶された情報を収集するものである。なお、本発明でいう無線ＬＡＮ子機１６とは、工場３などの限定された空間において、他の電子機器などと無線通信可能なものをいう。
【００２０】
また、加工装置１０は、モバイルＷｉ−Ｆｉルータ３０（以下、単にルータと記す）を更に備える。ルータ３０は、工場３に設置され、無線ＬＡＮ子機１６をインターネット回線２１に無線接続させることで、加工装置１０とインターネット回線２１とを無線接続するものである。即ち、ルータ３０は、加工装置１０とサーバー２０との間の通信における情報を中継する通信機器（中継器）である。具合的には、ルータ３０は、電話基地局２３を介してインターネット回線２１に無線ＬＡＮ子機１６を無線接続する。ルータ３０は、無線ＬＡＮ子機１６が所定時間毎に、又は所望のタイミングで自動的に無線送信する情報を電話基地局２３、インターネット回線２１を介してサーバー２０に無線送信する。また、ルータ３０は、サーバー２０に接続された端末装置２２からの入力情報を、インターネット回線２１、電話基地局２３を介して無線受信し、受信した入力情報を無線ＬＡＮ子機１６に無線送信する。なお、本発明でいうルータ３０とは、前述したように、加工装置１０の無線ＬＡＮ子機１６と、サーバー２０との間の通信における情報を無線接続を中継可能な通信機器であれば、なんでもよく、所謂、Ｗｉ−Ｆｉルータに限定されることはない。
【００２１】
なお、前述した加工装置１０は、特許請求の範囲に記載された工場３に設置される加工装置システム２−１を構成する。
【００２２】
前述した構成の情報収集システム１−１は、加工装置１０の記憶手段１４に記憶された加工条件及び作動履歴を示す情報を無線ＬＡＮ子機１６が所定時間毎に、又は所望のタイミングで自動的にルータ３０、電話基地局２３、インターネット回線２１を介してサーバー２０に送信する。情報収集システム１−１は、記憶手段１４に記憶した加工条件及び作動履歴を示す情報をサーバー２０に時系列的に蓄積する。そして、情報収集システム１−１は、サーバー２０に接続した端末装置２２を操作することで、加工装置１０の製造メーカなどの技術者が加工装置１０の加工条件及び作動履歴を随時確認することができる。さらに、情報収集システム１−１は、端末装置２２から加工装置１０に入力情報を出力、送信することができる。なお、入力情報は、加工装置１０の各構成要素を構成する各部品の改良部品への無料、有料交換などの案内や、製造メーカが推奨する加工条件などである。
【００２３】
以上のように、実施形態１に係る加工装置１０、加工装置システム２−１及び情報収集システム１−１によれば、加工装置１０に記憶手段１４に接続した無線ＬＡＮ子機１６を設け、加工装置１０が無線ＬＡＮ子機１６をインターネット回線２１に無線接続させるルータ３０を備えている。また、加工装置１０の無線ＬＡＮ子機１６が加工装置１０の記憶手段１４から情報を受信する。このために、工場３に加工装置１０即ち加工装置システム２−１を設置するだけで、工場３側の社内ＬＡＮに加工装置１０を接続することなく、加工条件及び作動履歴を示す情報をインターネット回線２１に送信して、サーバー２０に蓄積することができる。したがって、加工装置１０、加工装置システム２−１及び情報収集システム１−１は、新たにＬＡＮ設備を準備することなく、工場３側の社内ＬＡＮを用いることなく、記憶手段１４に記憶された情報をサーバー２０に蓄積することができる。よって、加工装置１０、加工装置システム２−１及び情報収集システム１−１は、情報漏洩の虞を生じることなく、加工装置１０をインターネット回線２１に容易に接続することができる。
【００２４】
〔実施形態２〕
本発明の実施形態２に係る加工装置、加工装置システム及び情報収集システムを図面に基いて説明する。図２は、実施形態２に係る加工装置、加工装置システム及び情報収集システムのブロック図である。なお、図２において、実施形態１と同一部分には、同一符号を付して説明を省略する。
【００２５】
実施形態２に係る加工装置システム２−２及び情報収集システム１−２は、図２に示すように、加工装置１０として、第１の加工装置１０−１と第２の加工装置１０−２を少なくとも含み、第Ｎの加工装置１０−Ｎを含んで、Ｎ（自然数）の加工装置１０を備えている。即ち、加工装置システム２−２及び情報収集システム１−２は、加工装置１０−１，１０−２・・・１０−Ｎを複数備えている。各加工装置１０−１，１０−２・・・１０−Ｎは、図２に示すように、前述したチャックテーブル１１と加工手段１２と表示手段兼入力手段１３と記憶手段１４と制御手段１５と無線ＬＡＮ子機１６とを少なくとも有している。即ち、第１の加工装置１０−１は、無線ＬＡＮ子機１６としての第１の無線ＬＡＮ子機１６−１を備え、第２の加工装置１０−２は、無線ＬＡＮ子機１６としての第２の無線ＬＡＮ子機１６−２を備え、第Ｎの加工装置１０−Ｎは、無線ＬＡＮ子機１６としての第Ｎの無線ＬＡＮ子機１６−Ｎを備えている。
【００２６】
そして、実施形態２に係る加工装置システム２−２及び情報収集システム１−２では、少なくとも一つの加工装置１０が、前述したルータ３０を備えている。図２に示す例では、加工装置システム２−２及び情報収集システム１−２では、第１の加工装置１０−１がルータ３０を備え、他の加工装置１０−２・・・１０−Ｎがルータ３０を備えていない。要するに、加工装置システム２−２及び情報収集システム１−２は、ルータ３０を一つのみ備える。そして、ルータ３０は、複数の加工装置１０−１，１０−２・・・１０−Ｎの無線ＬＡＮ子機１６−１，１６−２・・・１６−Ｎで共有される。即ち、実施形態２に係る加工装置システム２−２及び情報収集システム１−２では、ルータ３０は、各加工装置１０−１，１０−２・・・１０−Ｎの無線ＬＡＮ子機１６−１，１６−２・・・１６−Ｎをインターネット回線２１に無線接続し、各加工装置１０−１，１０−２・・・１０−Ｎの記憶手段１４に記憶された情報をインターネット回線２１に無線送信する。さらに、実施形態２に係る加工装置システム２−２及び情報収集システム１−２では、ルータ３０は、端末装置２２からの入力情報をインターネット回線２１などを介して無線受信し、入力情報を該当する加工装置１０−１，１０−２・・・１０−Ｎの無線ＬＡＮ子機１６−１，１６−２・・・１６−Ｎに送信する。
【００２７】
なお、本発明では、加工装置１０−１，１０−２・・・１０−Ｎよりも少ない数のルータ３０を備えて、複数の加工装置１０−１，１０−２・・・１０−Ｎの無線ＬＡＮ子機１６−１，１６−２・・・１６−Ｎ間でルータ３０を共用すればよい。また、実施形態２に係る情報収集システム１−２は、前述した構成により、複数の加工装置１０−１，１０−２・・・１０−Ｎとサーバー２０とルータ３０を少なくとも備えている。
【００２８】
実施形態２に係る加工装置１０、加工装置システム２−２及び情報収集システム１−２によれば、各加工装置１０−１，１０−２・・・１０−Ｎに記憶手段１４に接続した無線ＬＡＮ子機１６−１，１６−２・・・１６−Ｎを設け、無線ＬＡＮ子機１６をインターネット回線２１に無線接続させるルータ３０を少なくとも一つの加工装置１０が備えている。このために、加工装置１０、加工装置システム２−２及び情報収集システム１−２によれば、工場３に加工装置１０即ち加工装置システム２−１を設置するだけで、工場３側の社内ＬＡＮに加工装置１０を接続することなく、加工条件及び作動履歴を示す情報をインターネット回線２１に送信して、サーバー２０に蓄積することができる。したがって、加工装置１０、加工装置システム２−２及び情報収集システム１−２によれば、実施形態１と同様に、情報漏洩の虞を生じることなく、加工装置１０−１，１０−２・・・１０−Ｎをインターネット回線２１に容易に接続することができる。
【００２９】
また、前述した第１及び第２の実施形態では、加工装置１０が無線ＬＡＮ子機１６とルータ３０とを備えている。しかしながら、本発明では、既に工場３に設置された加工装置１０に無線ＬＡＮ子機１６を設け、更に少なくとも一つの加工装置１０にルータ３０を設けてよい。要するに、本発明では、加工装置１０に予め無線ＬＡＮ子機１６やルータ３０を設けてもよく、既に工場３に設置されている加工装置１０に無線ＬＡＮ子機１６やルータ３０を後付けするなどして、無線ＬＡＮ子機１６やルータ３０を工場３に設けてもよい。
【００３０】
なお、本発明は上記実施形態に限定されるものではない。即ち、本発明の骨子を逸脱しない範囲で種々変形して実施することができる。
【符号の説明】
【００３１】
１−１，１−２  情報収集システム
２−１，２−２  加工装置システム
１０  加工装置
１０−１  第１の加工装置
１０−２  第２の加工装置
１０−Ｎ  第Ｎの加工装置
１１  チャックテーブル
１２  加工手段
１３  表示手段兼入力手段
１４  記憶手段
１５  制御手段
１６  無線ＬＡＮ子機
１６−１  第１の無線ＬＡＮ子機
１６−２  第２の無線ＬＡＮ子機
１６−Ｎ  第Ｎの無線ＬＡＮ子機
２１  インターネット回線（通信回線）
３０  モバイルＷｉ−Ｆｉルータ
【図１】
2015179339.tif 000003
【図２】
2015179339.tif 000004